(57)【要約】【課題】マイナスイオンを十分に拡散することができるマイナスイオン発生装置の提供を目的としている。【解決手段】マイナスイオン発生装置は、マイナスイオンを発生させるマイナスイオン発生部３０と、風を発生させて送り出す送風手段５０と、送風手段５０からマイナスイオン発生部３０に向けて先細る通風路Ｐを形成し、送風手段５０によって送り出された風をマイナスイオン発生部３０に向けて圧縮しながら案内する圧送ガイド手段２０とを備えていることを特徴とする。【選択図】図５
2007012409.tif 000002
【特許請求の範囲】
【請求項１】
マイナスイオンを発生させるマイナスイオン発生部と、
風を発生させて送り出す送風手段と、
前記送風手段から前記マイナスイオン発生部に向けて先細る通風路を形成し、前記送風手段によって送り出された風を前記マイナスイオン発生部に向けて圧縮しながら案内する圧送ガイド手段と、
を備えていることを特徴とするマイナスイオン発生装置。
【請求項２】
前記圧送ガイド手段は、前記マイナスイオン発生部と対向する風吐出口と、空気を吸入するための吸気口とを有する略筒状のハウジングケースから成り、
前記送風手段は、回転軸と、この回転軸に固定された複数の羽根とから成るファンとして形成され、前記吸気口の近傍に位置して前記ハウジングケース内に設けられていることを特徴とする請求項１に記載のマイナスイオン発生装置。
【請求項３】
前記マイナスイオン発生部は、放電電極と、この放電電極から所定距離だけ離間して配置されるグランド電極とから成り、前記放電電極と前記グランド電極との間でコロナ放電を生じさせることによりマイナスイオンを発生させることを特徴とする請求項１または請求項２に記載のマイナスイオン発生装置。
【請求項４】
前記放電電極には、前記グランド電極に向かって延びる複数の放電針が設けられ、
前記グランド電極は、前記放電針の先端から所定距離だけ離間して位置されるとともに、前記各放電針と対向する位置にそれぞれ貫通孔を有していることを特徴とする請求項３に記載のマイナスイオン発生装置。
【請求項５】
前記マイナスイオン発生部と前記送風手段と前記圧送ガイド手段とを収容する筐体を更に備え、
前記マイナスイオン発生部は、これによって発生されるマイナスイオンが前記筐体に吸着されない距離をもって、前記筐体から離間して位置されていることを特徴とする請求項１ないし請求項４のいずれか１項に記載のマイナスイオン発生装置。
【請求項６】
前記マイナスイオン発生部の周囲に位置する前記筐体の部位と前記圧送ガイド手段との間の間隔は、前記マイナスイオン発生部によって発生されたマイナスイオンを前記圧送ガイド手段によって圧縮された風の中に取り込むことができる範囲内に規制されていることを特徴とする請求項５に記載のマイナスイオン発生装置。
【発明の詳細な説明】
【技術分野】
【０００１】
本発明は、マイナスイオン発生装置に関する。
【背景技術】
【０００２】
従来のマイナスイオン発生装置としては、例えば特許文献１に開示される空気清浄器が知られている。図６に示されるように、特許文献１に開示された空気清浄器５００は、放電素子５０１によってマイナスイオンを発生させ、このマイナスイオンをファン５０２によって引き起こされた風により拡散するようになっている。そして、ファン５０２にあっては、マイナスイオンを発生させる放電素子５０１の全面に風が当たるように、比較的大型のものが用いられていた。
【特許文献１】特開２００１−２７６１９２号公報
【発明の開示】
【発明が解決しようとする課題】
【０００３】
しかしながら、特許文献１を含む従来技術のように、マイナスイオンを発生する部位に対して単にファンにより風を当てただけでは、プラスイオンとの中和や筐体による吸着現象等により、マイナスイオンを十分に拡散することができない。
【０００４】
本発明は前記事情に着目してなされたものであり、その目的とするところは、マイナスイオンを十分に拡散することができるマイナスイオン発生装置を提供することにある。
【課題を解決するための手段】
【０００５】
前記課題を解決するために、請求項１に記載されたマイナスイオン発生装置は、マイナスイオンを発生させるマイナスイオン発生部と、風を発生させて送り出す送風手段と、前記送風手段から前記マイナスイオン発生部に向けて先細る通風路を形成し、前記送風手段によって送り出された風を前記マイナスイオン発生部に向けて圧縮しながら案内する圧送ガイド手段とを備えていることを特徴とする。
【０００６】
この請求項１に記載されたマイナスイオン発生装置によれば、送風手段からマイナスイオン発生部に向けて先細る通風路を形成し、送風手段によって送り出された風をマイナスイオン発生部に向けて圧縮しながら案内する圧送ガイド手段が設けられているため、マイナスイオン発生部で発生したマイナスイオンは、圧縮された空気により吐出口方向に向かって向心力を受け、直進性の高い空気により直線的に運ばれる。そして、このように直線的に運ばれるマイナスイオンは、マイナスイオン発生部の周囲の筐体等に吸着されることなく十分に拡散され、より遠くまで供給されるようになる。
【０００７】
なお、上記構成において、マイナスイオン発生部は、マイナスイオンを発生させることができるものであればどのようなものであっても良い。例えば、マイナスイオン発生部は、放電電極と、この放電電極から所定距離だけ離間して設けられるグランド電極とから成り、放電電極とグランド電極との間でコロナ放電を生じさせるものであっても良く、あるいは、針状のマイナス電極にパルス性電圧を印加することにより電子を放出するものであっても構わない。
【０００８】
また、請求項２に記載されたマイナスイオン発生装置は、請求項１に記載されたマイナスイオン発生装置において、前記圧送ガイド手段は、前記マイナスイオン発生部と対向する風吐出口と、空気を吸入するための吸気口とを有する略筒状のハウジングケースから成り、前記送風手段は、回転軸と、この回転軸に固定された複数の羽根とから成るファンとして形成され、前記吸気口の近傍に位置して前記ハウジングケース内に設けられていることを特徴とする。
【０００９】
この請求項２に記載されたマイナスイオン発生装置によれば、請求項１に記載されたマイナスイオン発生装置と同様の作用効果を得ることができるとともに、送風手段からマイナスイオン発生部に向けて先細る通風路を形成するハウジングケースの内部にファンを配置し、吸気口の近傍でファンにより発生した風を、マイナスイオン発生部と対向する風吐出口に向けて送り込むようにしているため、ファンの風量を落として静音にしても、内圧の高い空気を発生させることができ、ファンにより送り出される圧縮空気の直進性を高めることができる。
【００１０】
また、請求項３に記載されたマイナスイオン発生装置は、請求項１または請求項２に記載されたマイナスイオン発生装置において、前記マイナスイオン発生部は、放電電極と、この放電電極から所定距離だけ離間して配置されるグランド電極とから成り、前記放電電極と前記グランド電極との間でコロナ放電を生じさせることによりマイナスイオンを発生させることを特徴とする。
【００１１】
この請求項３に記載されたマイナスイオン発生装置によれば、請求項１または請求項２に記載されたマイナスイオン発生装置と同様の作用効果を得ることができるとともに、コロナ放電により放電電極からグランド電極に向けて電子を拡散させることにより、放電電極とグランド電極との間の気体分子や微粒子に電子を飛び込ませ、マイナスイオンを発生させることができる。
【００１２】
なお、上記構成において、前記ファンの回転直径は、前記グランド電極の一辺の長さ以上に設定されていることが好ましい。このように、ファンの回転直径がグランド電極の一辺の長さ以上に設定されていると、マイナスイオン発生部で生じたマイナスイオンを効率的に拡散させることができる。
【００１３】
また、請求項４に記載されたマイナスイオン発生装置は、請求項３に記載されたマイナスイオン発生装置において、前記放電電極には、前記グランド電極に向かって延びる複数の放電針が設けられ、前記グランド電極は、前記放電針の先端から所定距離だけ離間して位置されるとともに、前記各放電針と対向する位置にそれぞれ貫通孔を有していることを特徴とする。
【００１４】
この請求項４に記載されたマイナスイオン発生装置によれば、請求項３に記載されたマイナスイオン発生装置と同様の作用効果を得ることができるとともに、グランド電極に向かって延びる放電針と対向する位置に貫通孔が形成され、放電針の先端とグランド電極との間に所定の間隙が形成されているため、コロナ放電が生じ易くなる。また、前記貫通孔により、マイナスイオンを圧縮空気により拡散するための通り道を確保することができる。
【００１５】
なお、上記構成において、貫通孔の大きさ及び形状は、圧送ガイド手段から送り出される空気の通り道を確保できる範囲内で様々に設定することができる。
【００１６】
また、請求項５に記載されたマイナスイオン発生装置は、請求項１ないし請求項４のいずれか１項に記載されたマイナスイオン発生装置において、前記マイナスイオン発生部と前記送風手段と前記圧送ガイド手段とを収容する筐体を更に備え、前記マイナスイオン発生部は、これによって発生されるマイナスイオンが前記筐体に吸着されない距離をもって、前記筐体から離間して位置されていることを特徴とする。
【００１７】
この請求項５に記載されたマイナスイオン発生装置によれば、請求項１ないし請求項４のいずれか１項に記載されたマイナスイオン発生装置と同様の作用効果を得ることができるとともに、圧送ガイド手段による直進性の高い圧縮空気の送出作用に加えて、マイナスイオン発生部とその周囲の筐体との間に所定の間隔を空けているため、筐体にマイナスイオンが吸着されることを確実に防止して、マイナスイオンを更に十分に拡散することができるようになる。
【００１８】
また、請求項６に記載されたマイナスイオン発生装置は、請求項５に記載されたマイナスイオン発生装置において、前記マイナスイオン発生部の周囲に位置する前記筐体の部位と前記圧送ガイド手段との間の間隔は、前記マイナスイオン発生部によって発生されたマイナスイオンを前記圧送ガイド手段によって圧縮された風の中に取り込むことができる範囲内に規制されていることを特徴とする。
【００１９】
この請求項６に記載されたマイナスイオン発生装置によれば、請求項５に記載されたマイナスイオン発生装置と同様の作用効果を得ることができるとともに、マイナスイオン発生部で発生したマイナスイオンを圧縮空気流の中に確実に取り込むことができるため、マイナスイオンの拡散を更に促進させることができる。
【発明の効果】
【００２０】
本発明によれば、マイナスイオンを十分に拡散することができる。
【発明を実施するための最良の形態】
【００２１】
以下、図面を参照しながら、本発明の一実施形態について説明する。
【００２２】
図１および図２は、本発明の一実施形態に係るマイナスイオン発生装置１を示している。図示のように、マイナスイオン発生装置１は、外装体としての筐体１０を備えている。筐体１０は、２つの側面１０ａ、１０ｂと、これらの側面１０ａ、１０ｂ同士を接続する前面１０ｅおよび背面１０ｆと、これらの面１０ａ、１０ｂ、１０ｅ、１０ｆによって形成される矩形の枠体を上下から覆って内部空間Ｓ（図３参照）を形成する上面１０ｃおよび底面１０ｄとを有している。この場合、上面１０ｃは背面１０ｆから前面１０ｅに向かって下方に傾斜しており、これにより、内部空間Ｓは、図３に明確に示されるように、背面１０ｆから前面１０ｅに向かって先細っている。また、図２に明確に示されるように、背面１０には、内部空間Ｓ内に空気を取り入れるための通気孔１７が設けられている。更に、前面１０ｅには、後述するマイナスイオン発生部によって発生されるマイナスイオンを外部に放出するための複数の放出口１５が設けられている（図１参照）。
【００２３】
図３に示されるように、筐体１０の内部空間Ｓ内には、マイナスイオンを発生させるマイナスイオン発生部３０と、マイナスイオン発生部３０で発生するマイナスイオンに風を供給してマイナスイオンを拡散するためのサーキュレータ６０とが収容されている。この場合、サーキュレータ６０は、風を発生させて送り出す送風手段としてのファン５０と、ファン５０によって送り出された風をマイナスイオン発生部３０に向けて案内する圧送ガイド手段としての略筒状のハウジングケース２０とから成る。
【００２４】
図４および図５に明確に示されるように、マイナスイオン発生部３０は、電源４０と、電源４０に電気的に接続され且つ電源４０から電力が供給される放電電極３２と、この放電電極３２から所定距離だけ離間して配置されるグランド電極３１とから成り、放電電極３２とグランド電極３１との間でコロナ放電を生じさせることによりマイナスイオンを発生させることができる。具体的には、グランド電極３１は、横幅がＸで且つ縦幅がＹに設定された矩形板状に形成されており、また、放電電極３２は、板状に形成されるとともに、グランド電極３１に向かって延びる複数の放電針３３を有している。この場合、放電針３３は、互いに所定の間隔をもって放電電極３２の長手方向に沿って配置されるとともに、グランド電極３１との間でコロナ放電が生じるようにその先端がグランド電極３１から所定距離Ｚだけ離間して位置されている。
【００２５】
なお、放電針３３の先端とグランド電極３１との間の離間距離Ｚは、これらの間でコロナ放電を生じることができる範囲で、任意に設定することができる。また、放電電極３２に供給される電力は、放電電極３２とグランド電極３１との間でコロナ放電を生じることができる範囲で、任意に設定することができる。
【００２６】
また、グランド電極３１には、各放電針３３と対向する位置にそれぞれ貫通孔３５が形成されている。これらの貫通孔３５はそれぞれ、対応して対向する放電針３３の先端を中心とする円形の孔として形成されており、筐体１０の前面１０ｅに設けられた対応する放出口１５と対向するマイナスイオン吐出口として機能するようになっている。なお、貫通孔３５の大きさ及び形状は、サーキュレータ６０から送り出される空気の通り道を確保できる範囲で、任意に設定することができる。
【００２７】
このような構成のマイナスイオン発生部３０にあっては、放電電極３２とグランド電極３１との間に、電源４０により電圧を印加することにより、これらの間でコロナ放電が発生し、コロナ放電により放電電極３２からグランド電極３１に向けて電子が拡散されることで、放電電極３２とグランド電極３１との間の気体分子や微粒子に電子が飛び込み、マイナスイオンが発生する。
【００２８】
なお、マイナスイオン発生部３０は、これによって発生されるマイナスイオンが筐体１０に吸着されないように、筐体１０から所定の距離だけ離間して配置されている。また、放電針３３の数および貫通孔３５の数は任意に設定することができ、放電針３３の数を増やせば増やすほどマイナスイオンは多く発生するが、その分、電源４０から多くの電力を供給しなければならなくなる。
【００２９】
図５に明確に示されるように、圧送ガイド手段としてのハウジングケース２０は、２つの側面２０ａ、２０ｂと、これらの側面２０ａ、２０ｂ同士を接続する上面２０ｃおよび底面２０ｄとから成り、マイナスイオン発生部３０と対向する風吐出口２４と、筐体１０の通気孔１７を通じて空気を吸入するための吸気口２３とを有している。この場合、上面２０ｃは、吸気口２３から風吐出口２４に向かって下方に傾斜しており、これにより、ハウジングケース２０内には、吸気口２３から風吐出口２４に向かって（ファン５０からマイナスイオン発生部３０に向けて）先細り且つファン５０によって送り出される風をマイナスイオン発生部３０に向けて徐々に圧縮しながら案内する通風路Ｐが形成される。
【００３０】
なお、マイナスイオン発生部３０の周囲に位置する筐体１０の部位とハウジングケース２０との間の間隔は、マイナスイオン発生部３０によって発生されたマイナスイオンをハウジングケース２０によって圧縮された風の中に取り込むことができる範囲内に規制されている。
【００３１】
また、図５に示されるように、風を発生させるファン５０は、回転軸５１と、この回転軸５１に固定された複数の羽根５２とから成り、ハウジングケース２０の吸気口２３の近傍に位置してハウジングケース２０内に設けられている。回転軸５１はモータ５３により回転するようになっており、この回転軸５１が回転することにより、回転軸５１の周りに取り付けられている羽根５２も回転し、マイナスイオン発生部３０の方向に風を送り出すことができる。なお、本実施形態において、ファン５０の回転直径Ｒは、グランド電極３１の一辺の長さＹ以上に設定されている。また、ファン５０は、回転軸５１の周りに４枚の羽根５２が取り付けられているが、羽根５２の枚数は任意に設定することができる。
【００３２】
以上説明したように、本実施形態のマイナスイオン発生装置１は、ファン５０からマイナスイオン発生部３０に向けて先細る通風路Ｐを形成し、ファン５０によって送り出された風をマイナスイオン発生部３０に向けて圧縮しながら案内するハウジングケース２０を備えているため、マイナスイオン発生部３０で発生したマイナスイオンは、圧縮された空気により吐出口方向に向かって向心力を受け、直進性の高い空気により直線的に運ばれる。そして、このように直線的に運ばれるマイナスイオンは、マイナスイオン発生部３０の周囲の筐体１０に吸着されることなく十分に拡散され、より遠くまで供給されるようになる。
【００３３】
また、本実施形態のマイナスイオン発生装置１では、ファン５０からマイナスイオン発生部３０に向けて先細る通風路Ｐを形成するハウジングケース２０の内部にファン５０を配置し、吸気口２３の近傍でファン５０により発生した風を、マイナスイオン発生部３０と対向する風吐出口２４に向けて送り込むようにしているため、ファン５０の風量を落として静音にしても、内圧の高い空気を発生させることができ、ファン５０により送り出される圧縮空気の直進性を高めることができる。
【００３４】
また、本実施形態のマイナスイオン発生装置１において、ファン５０の回転直径Ｒは、グランド電極３１の一辺の長さＹ以上に設定されているため、マイナスイオン発生部３０で生じたマイナスイオンを効率的に拡散させることができる。
【００３５】
また、本実施形態のマイナスイオン発生装置１では、グランド電極３１に向かって延びる放電針３３と対向する位置に貫通孔３５が形成され、放電針３３の先端とグランド電極３１との間に所定の間隙Ｚが形成されているため、コロナ放電が生じ易くなる。また、貫通孔３５により、マイナスイオンを圧縮空気により拡散するための通り道を確保することができる。
【００３６】
また、本実施形態のマイナスイオン発生装置１では、サーキュレータ６０による直進性の高い圧縮空気の送出作用に加えて、マイナスイオン発生部３０とその周囲の筐体１０との間に所定の間隔を空けているため、筐体１０にマイナスイオンが吸着されることを確実に防止して、マイナスイオンを更に十分に拡散することができるようになる。
【００３７】
また、本実施形態のマイナスイオン発生装置１においては、マイナスイオン発生部３０の周囲に位置する筐体１０の部位とハウジングケース２０との間の間隔が所定の範囲内に規制され、マイナスイオン発生部３０によって発生されたマイナスイオンをハウジングケース２０によって圧縮された風の中に取り込むことができるようになっているため、マイナスイオンの拡散を更に促進させることができる。
【００３８】
なお、本発明は、前述した実施形態に限定されず、その要旨を逸脱しない範囲で種々変形して実施するこができる。例えば、前述した実施形態では、グランド電極３１が長方形に形成されているが、このような形状に限定されるわけではなく、正方形や円形、楕円形等であっても良い。また、前述した実施形態において、マイナスイオン発生部３０は、放電電極３２とグランド電極３１とによりコロナ放電を生じさせることで、マイナスイオンを発生させるようにしているが、このようなものに限定されず、例えば、図示しないが、針状のマイナス電極にパルス性電圧を印加することにより、マイナスイオンを発生させるものであっても良い。
【００３９】
また、本発明のこのようなマイナスイオン発生装置１は、臭い成分の高度な分解能力を有し、また、「一般細菌」「カビ菌・酵母菌」共に装置稼動状態では２４時間以内に殺菌されることが実験により証明されている。また、ＧＣＰ基準に基づく医学的臨床検査では、血流改善効果、高血圧の治療効果、糖尿病の治療効果、高脂質血症の治療効果、呼吸器病気の治療効果があることも確認されている。更に、本発明のマイナスイオン発生装置１では、ストレス解消効果、疲労回復効果、作業（計算）効率向上といった心理的生理的効果があることも確認されている。
【産業上の利用可能性】
【００４０】
本発明は、マイナスイオンを発生させる全ての装置に適用することができる。
【図面の簡単な説明】
【００４１】
【図１】本発明の一実施形態に係るマイナスイオン発生装置の斜視図である。
【図２】図１のマイナスイオン発生装置の背面図である。
【図３】図１のマイナスイオン発生装置の内部構造を概略的に示す断面図である。
【図４】マイナスイオン発生部の構成を示す斜視図である。
【図５】サーキュレータおよびマイナスイオン発生部の構成を示す斜視図である。
【図６】従来の空気清浄器の概略断面図である。
【符号の説明】
【００４２】
１  マイナスイオン発生装置
１０  筐体
２０  ハウジングケース（圧送ガイド手段）
２３  吸気口
２４  風吐出口
３０  マイナスイオン発生部
３１  グランド電極
３２  放電電極
３３  放電針
３５  貫通孔
５０  ファン（送風手段）
５１  回転軸
５２  羽根
Ｐ  通風路
【図１】
2007012409.tif 000003
【図２】
2007012409.tif 000004
【図３】
2007012409.tif 000005
【図４】
2007012409.tif 000006
【図５】
2007012409.tif 000007
【図６】
2007012409.tif 000008